(57)【要約】  ドアハンドルケースと、前記ドアハンドルケースの中に設置された第１の検出電極及び第２の検出電極と、前記第１の検出電極及び前記第２の検出電極に接続された制御部と、を有し、前記第１の検出電極及び前記第２の検出電極は、操作体との静電容量を各々独立して測定するものであって、前記制御部は、前記第１の検出電極において検出された第１の静電容量、または、前記第２の検出電極において検出された第２の静電容量に基づき、前記操作体による操作を判断することを特徴とするドアハンドル。
2019181238.tif 000002
【特許請求の範囲】
【請求項１】
ドアハンドルケースと、
前記ドアハンドルケースの中に設置された第１の検出電極及び第２の検出電極と、
前記第１の検出電極及び前記第２の検出電極に接続された制御部と、
を有し、
前記第１の検出電極及び前記第２の検出電極は、操作体との静電容量を各々独立して測定するものであって、
前記制御部は、前記第１の検出電極において検出された第１の静電容量、または、前記第２の検出電極において検出された第２の静電容量に基づき、前記操作体による操作を判断することを特徴とするドアハンドル。
【請求項２】
前記制御部は、
前記第１の検出電極において第１の静電容量を検出している際には、前記第２の検出電極において第２の静電容量の検出は行われず、
前記第２の検出電極において第２の静電容量を検出している際には、前記第１の検出電極において第１の静電容量の検出は行われないことを特徴とする請求項１に記載のドアハンドル。
【請求項３】
前記第１の静電容量、または、前記第２の静電容量が、所定の基準容量以上である場合には、前記操作体による操作がなされたものと判断することを特徴とする請求項１または２に記載のドアハンドル。
【請求項４】
前記第１の静電容量及び前記第２の静電容量が、ともに所定の基準容量以上である場合には、前記操作体による操作がなされなかったものと判断することを特徴とする請求項３に記載のドアハンドル。
【請求項５】
前記第１の静電容量及び前記第２の静電容量が、ともに所定の基準容量未満である場合には、前記操作体による操作がなされなかったものと判断することを特徴とする請求項３または４に記載のドアハンドル。
【請求項６】
前記制御部は、
前記第１の検出電極及び前記第２の検出電極と操作体との静電容量を測定し、
前記静電容量が他の基準容量を超える場合には、前記第１の検出電極及び前記第２の検出電極により、操作体との静電容量を各々独立して測定する制御を行うことを特徴とする請求項１から５のいずれかに記載のドアハンドル。
【請求項７】
前記ドアハンドルは車両のドアに取り付けられており、
前記第１の検出電極及び前記第２の検出電極は、ロック検出電極であって、
前記操作体による操作は、前記ドアをロックするための操作であることを特徴とする請求項１から６のいずれかに記載のドアハンドル。
【発明の詳細な説明】
【技術分野】
【０００１】
本発明は、ドアハンドルに関するものである。
【背景技術】
【０００２】
自動車等のドアには、ドアを開閉するためのドアハンドルが設けられており、近年は、ドアハンドルに手を近づけてジェスチャ操作することにより、ドアの開閉のロックまたはロックの解除を行うことのできるものも登場している。このようなドアハンドルには、手の操作を検知するための静電センサ等が内部に設置されている。
【先行技術文献】
【特許文献】
【０００３】
【特許文献１】特開２０１０−２４７９７号公報
【特許文献２】特開２００９−３０３６０号公報
【発明の概要】
【発明が解決しようとする課題】
【０００４】
ところで、ドアの開閉のロックをするためのロック用静電センサは、ドアハンドルケースの内部に設置されており、人の手の指がドアハンドルに近づきロック用静電センサにより検知されると、ドアがロックされる。しかしながら、ロック用静電センサは、ドアハンドルケースの内部に入れられているため、外からは正確な位置が解らず、ロック用静電センサに接続されている配線等に手の指が近づいた場合であっても、ドアがロックされてしまう場合がある。例えば、ドアのロックを解除しようとして、ドアハンドルのアンロック用静電センサの近傍に手を近づけた際に、手の指がロック用静電センサに接続されている配線等にも近づいた場合には、ドアがロックされてしまう。【０００５】
このため、ドアをアンロックしたい場合に、ドアがロックされてしまうといったユーザの意図しない動作が行われる誤検出を防ぎ、ドアをロックしたい場合にのみロック操作を検出することのできるドアハンドルが求められている。
【課題を解決するための手段】
【０００６】
本実施の形態の一観点によれば、ドアハンドルケースと、前記ドアハンドルケースの中に設置された第１の検出電極及び第２の検出電極と、前記第１の検出電極及び前記第２の検出電極に接続された制御部と、を有し、前記第１の検出電極及び前記第２の検出電極は、操作体との静電容量を各々独立して測定するものであって、前記制御部は、前記第１の検出電極において検出された第１の静電容量、または、前記第２の検出電極において検出された第２の静電容量に基づき、前記操作体による操作を判断することを特徴とする。
【発明の効果】
【０００７】
開示のドアハンドルによれば、ドアをアンロックしたい場合に、ドアがロックされてしまうといったユーザの意図しない動作が行われる誤検出を防ぐことができ、ドアをロックしたい場合にのみロック操作を検出することができる。
【図面の簡単な説明】
【０００８】
【図１】ドアハンドルの外観の斜視図
【図２】ドアハンドルの外観の上面図
【図３】ドアハンドルの外観の正面図
【図４】ドアハンドルの内部の正面図
【図５】ドアハンドルの内部の斜視図
【図６】ドアハンドルにおけるロック検出電極の説明図
【図７】第１の実施の形態におけるドアハンドルの内部の正面図
【図８】第１の実施の形態におけるドアハンドルの内部の斜視図
【図９】第１の実施の形態におけるドアハンドルの内部の説明図（１）
【図１０】第１の実施の形態におけるドアハンドルの内部の説明図（２）
【図１１】第１の実施の形態におけるドアハンドルの制御部の説明図
【図１２】第１の実施の形態におけるドアハンドルのロック操作検出のフローチャート
【図１３】第２の実施の形態におけるドアハンドルのロック操作検出のフローチャート
【図１４】第２の実施の形態におけるドアハンドルのロック操作検出のフローチャート
【発明を実施するための形態】
【０００９】
実施するための形態について、以下に説明する。尚、同じ部材等については、同一の符号を付して説明を省略する。また、本願においては、Ｘ１−Ｘ２方向、Ｙ１−Ｙ２方向、Ｚ１−Ｚ２方向を相互に直交する方向とする。また、Ｘ１−Ｘ２方向及びＹ１−Ｙ２方向を含む面をＸＹ面と記載し、Ｙ１−Ｙ２方向及びＺ１−Ｚ２方向を含む面をＹＺ面と記載し、Ｚ１−Ｚ２方向及びＸ１−Ｘ２方向を含む面をＺＸ面と記載する。
【００１０】
〔第１の実施の形態〕
図１から図４に基づきドアハンドル１０について説明する。図１はドアハンドル１０の斜視図であり、図２は上面図であり、図３は正面図である。図４は第１のドアハンドルケース１１を取り除いた状態の正面図であり、図５は斜視図である。
【００１１】
ドアハンドル１０は、自動車等の車両のドアの外側に取り付けられている。ドアハンドル１０の筐体部分となるドアハンドルケースは、第１のドアハンドルケース１１と第２のドアハンドルケース１２により形成されており、第１のドアハンドルケース１１と第２のドアハンドルケース１２とにより静電センサ１００を覆うことによりドアハンドル１０が形成される。従って、ドアハンドル１０の内部には、静電センサ１００が設けられている。尚、第２のドアハンドルケース１２の内側の表面１２ａの中央部分は、人の手により握りやすいように、Ｚ１側に凹んでいる。また、第２のドアハンドルケース１２には、静電センサ１００に接続されている配線１１３等を通すために貫通穴１３が設けられている。配線１１３は、ドアハンドル１０の外部と電気的な接続をするためのものである。
【００１２】
静電センサ１００は、絶縁体により形成された平坦な基板１１１の表面又は内部には、不図示のアンロック用静電センサの電極、即ち、アンロック検出電極が形成される。静電センサ１００の基板１１１は略長方形の形状で形成されており、ドアハンドル１０の長手方向がＸ１−Ｘ２方向とした場合に、ドアハンドル１０の内部の基板１１１は、長手方向がＸ１−Ｘ２方向となっており、静電センサ１００の基板１１１の基板面は、ＸＹ面と略平行となっている。この静電センサ１００においては、アンロック検出電極と指等との間の静電容量の変化により、指等によりロックを解除する操作を検知することができる。
【００１３】
また、基板１１１のＸ２方向側には、ロック用静電センサの電極、即ち、ロック検出電極１２０が設けられている。ロック検出電極１２０は、上面側となるＹ２方向側に設けられた上側ロック検出電極１２１と、下側となるＹ１方向側に設けられた下側ロック検出電極１２２とを有しており、上側ロック検出電極１２１と下側ロック検出電極１２２とは接続電極１２３により接続され、接続電極１２３は配線電極１２４により、基板１１１に接続されている。本願においては、上側ロック検出電極１２１を第１のロック検出電極と記載し、下側ロック検出電極１２２を第２のロック検出電極と記載する場合がある。
【００１４】
このようなドアハンドル１０では、図３に示されるように、ドアハンドルのＸ２側の端部であって、Ｙ２方向側の上側検出領域１０Ａや、Ｙ１方向側の下側検出領域１０Ｂに、手の指等を近づけると、上側ロック検出電極１２１や、下側ロック検出電極１２２と、手の指等との静電容量が変化し、検出される静電容量が所定の値を超えると、ドアのロック操作として検知される。
【００１５】
また、ドアのロックを解除する際には、手の指等をアンロック検出電極に近づける。これにより、アンロック検出電極と手の指等との静電容量が変化し、検出される静電容量が所定の値を超えると、ドアのロックが解除される。具体的には、アンロック検出電極は、基板１１１の表面または内部に設けられており、第２のドアハンドルケース１２の内側の表面１２ａに手の指等が触れ、検出される静電容量が所定の値を超えると、ドアのロック解除の操作であることが検知される。
【００１６】
ところで、ドアのロックを解除するため、第２のドアハンドルケース１２の内側の表面１２ａに手を近づけた際に、上側検出領域１０Ａと下側検出領域１０Ｂとの間の中間領域１０Ｃにも手の指等が近づく場合がある。中間領域１０Ｃには、接続電極１２３や配線電極１２４が設けられており、手の指等が中間領域１０Ｃに近づいた場合にも、接続電極１２３や配線電極１２４と手の指等の間の静電容量が変化し、所定の値を超えると、ロック操作がなされたものと誤検出される場合がある。
【００１７】
即ち、図３に示されるドアハンドル１０において、ドアハンドルのＸ２側の端部であって、Ｙ２方向側の上側検出領域１０Ａや、Ｙ１方向側の下側検出領域１０Ｂに、手の指等が近づいた場合には、図６に示すような、ドアハンドルケースの内部におけるロック検出電極１２０の上側ロック検出電極１２１の検出領域６Ａや、下側ロック検出電極１２２の検出領域６Ｂに、手の指等が近づき、ロック検出電極１２０において検出される静電容量が所定の値を超えると、ドアのロック操作として検知される。また、図３に示されるドアハンドル１０において、上側検出領域１０Ａと下側検出領域１０Ｂとの間の中間領域１０Ｃに、手の指等が近づいた場合には、図６に示すような、ドアハンドルケースの内部におけるロック検出電極１２０の接続電極１２３及び配線電極１２４の検出領域６Ｃに、手の指等が近づき、ロック検出電極１２０において検出される静電容量が所定の値を超えると、ドアのロック操作として誤検知されてしまう。
【００１８】
このため、ドアハンドル１０の中間領域１０Ｃの近くに手の指等が近づいた場合であっても、ロック操作であると誤検出されることがなく、ドアハンドル１０に設けられた上側ロック検出電極１２１及び下側ロック検出電極１２２の近傍に、手の指等が近づいた場合にのみロック操作であることが検出されるドアハンドルが求められている。
【００１９】
（ドアハンドル）
次に、第１の実施の形態におけるドアハンドルについて、図７及び図８に基づき説明する。本実施の形態におけるドアハンドルは、外観は図１から図３に示されるドアハンドルと同じであり、自動車等の車両のドアの外側に取り付けられている。尚、図７は本実施の形態におけるドアハンドルにおいて、第１のドアハンドルケース１１を取り除いた状態の正面図であり、図８は斜視図である。
【００２０】
本実施の形態におけるドアハンドルでは、ドアハンドルケースの中に設置されている上側ロック検出電極１２１は上側配線電極１５１により基板１１１に接続されており、下側ロック検出電極１２２は下側配線電極１５２により基板１１１に接続されている。従って、上側ロック検出電極１２１と下側ロック検出電極１２２とを直接接続する接続電極１２３は設けられていないため、図３に示されるドアハンドル１０の中間領域１０Ｃに相当する領域の近くに手の指等が近づいた場合であっても、静電容量の変化は少ない。また、上側配線電極１５１と下側配線電極１５２は、各々別個に基板１１１に設けられた制御部１４０に接続されており、独立して静電容量の検出をすることができる。
【００２１】
具体的には、制御部１４０における制御により、上側配線電極１５１を介し上側ロック検出電極１２１において静電容量の測定がなされているときには、下側ロック検出電極１２２においては静電容量の測定はなされず、この場合には、図９に示されるように、破線で囲まれた検出領域１２１Ａが、上側ロック検出電極１２１における検出領域となる。また、下側配線電極１５２を介し下側ロック検出電極１２２において静電容量の測定がなされているときには、上側ロック検出電極１２１においては静電容量の測定はなされず、この場合には、図１０に示されるように、破線で囲まれた検出領域１２２Ａが、下側ロック検出電極１２２における検出領域となる。
【００２２】
このため、図３に示されるドアハンドル１０の中間領域１０Ｃの近くに手の指等が近づいた場合には、図４から図６に示す構造のドアハンドルでは、接続電極１２３において静電容量の変化に大きく寄与するが、本実施の形態においては、上側ロック検出電極１２１及び下側ロック検出電極１２２は、上側配線電極１５１及び下側配線電極１５２が各々別々に基板１１１に接続されており、接続電極１２３が形成されていた領域の一部は空間となっており、上側配線電極１５１と下側配線電極１５２とが分離されている。従って、上側ロック検出電極１２１により上側配線電極１５１を介して得られる静電容量の値と、下側ロック検出電極１２２により下側配線電極１５２を介して得られる静電容量の値とは合算されず分けられる。このため、ドアハンドル１０の中間領域１０Ｃの近くに手の指等が近づいた場合であっても、上側配線電極１５１や下側配線電極１５２における静電容量の変化は、図４から図６に示す構造のドアハンドルの半分以下であり、静電容量の変化の影響が少なく、誤検出を抑制することができる。
【００２３】
本実施の形態においては、図１１に示されるように、制御部１４０は、静電容量測定部１４１、演算部１４２、記憶部１４３、出力部１４４等を有している。静電容量測定部１４１は、スイッチ１４５、アンプ１４６、ＡＤＣ（Analog-to-digital converter：ＡＤコンバータ）１４７等を有している。スイッチ１４５は、上側ロック検出電極１２１、下側ロック検出電極１２２と接続されており、スイッチ１４５を閉じることにより、上側ロック検出電極１２１、下側ロック検出電極１２２に所定の電圧Ｖｄｄを印加することができる。これにより、上側ロック検出電極１２１、下側ロック検出電極１２２の各々における電位を検出することができ、検出された電位をアンプ１４６により増幅し、ＡＤＣ１４７によりアナログ信号をデジタル信号に変換する。このように変換されたデジタル信号に基づき、手の指２００等と上側ロック検出電極１２１における静電容量の値、手の指２００等と下側ロック検出電極１２２における静電容量の値を得ることができ、これらの静電容量の値に基づき演算部１４２において演算や比較等がなされ、出力部１４４よりロック信号が出力される。本願においては、手の指２００等は操作体と記載する場合がある。尚、上側ロック検出電極１２１と下側ロック検出電極１２２は同じ大きさで形成されている。
【００２４】
（ドアハンドルのロック）
次に、本実施の形態におけるドアハンドルのロック操作について、図１２に基づき説明する。尚、下記のロック操作の制御は、制御部１４０において行われる。
【００２５】
最初に、ステップ１０２（Ｓ１０２）に示すように、静電容量測定部１４１において、上側ロック検出電極１２１に所定の電圧を印加し、上側ロック検出電極１２１における電圧を測定することにより、上側ロック検出電極１２１と手の指２００等との静電容量の測定を行う。本願においては、この際測定される上側ロック検出電極１２１と手の指２００等との静電容量を第１の静電容量と記載する場合がある。
【００２６】
次に、ステップ１０４（Ｓ１０４）に示すように、第１の静電容量、即ち、上側ロック検出電極１２１と手の指２００等との静電容量が、所定の基準容量以上であるか否かが判断される。この判断は演算部１４２等により行われる。所定の基準容量の値は、上側ロック検出電極１２１や下側ロック検出電極１２２に手の指２００等が近づき、ロック操作の判断の基準となる値であり、予め、制御部１４０内の記憶部１４３等に記憶されている。第１の静電容量が所定の基準容量以上である場合にはステップ１１０に移行し、第１の静電容量が所定の基準容量未満である場合にはステップ１０６に移行する。
【００２７】
次に、ステップ１０６（Ｓ１０６）に示すように、静電容量測定部１４１において、下側ロック検出電極１２２に所定の電圧を印加し、下側ロック検出電極１２２における電圧を測定することにより、下側ロック検出電極１２２と手の指２００等との静電容量の測定を行う。本願においては、この際測定される下側ロック検出電極１２２と手の指２００等との静電容量を第２の静電容量と記載する場合がある。
【００２８】
次に、ステップ１０８（Ｓ１０８）に示すように、第２の静電容量、即ち、下側ロック検出電極１２２と手の指２００等との静電容量が、所定の基準容量以上であるか否かが判断される。この判断は演算部１４２等により行われる。第２の静電容量が所定の基準容量以上である場合にはステップ１１０に移行し、第２の静電容量が所定の基準容量未満である場合にはステップ１０２に移行し、再び静電容量の測定を行う。
【００２９】
次に、ステップ１１０（Ｓ１１０）に示すように、ドアをロックするためのロック信号が出力部１４４より出力される。これにより、ドアがロックされる。
【００３０】
以上のように、本実施の形態においては、ロック検出電極１２０の上側ロック検出電極１２１と下側ロック検出電極１２２との間の領域に手の指等が近づいた場合には、図３から図５に示される構造のドアハンドルでは、ロック信号が出力されていたが、本実施の形態においては、ロック検出電極１２０の上側ロック検出電極１２１と下側ロック検出電極１２２との間の領域に手の指等が近づいた場合であっても、上側ロック検出電極１２１と下側ロック検出電極１２２とを接続する接続電極１２３は設けられてはおらず、上側ロック検出電極１２１と下側ロック検出電極１２２とは各々独立して静電容量が測定されるため、ドアのロックをすることを意図した操作ではない場合には、ロック信号は出力されず、誤検出を防止することができる。
【００３１】
〔第２の実施の形態〕
次に、第２の実施の形態におけるドアハンドルのロック操作について、図１３に基づき説明する。本実施の形態は、上側ロック検出電極１２１により測定された第１の静電容量、下側ロック検出電極１２２により測定された第２の静電容量のいずれか一方が、所定の基準容量以上である場合には、人の指等によるロック操作であるものと判断されるが、第１の静電容量及び第２の静電容量がともに基準容量未満である場合や基準容量以上である場合には、人の指等によるロック操作はなかったものと判断される。第１の静電容量及び第２の静電容量がともに基準容量未満である場合には、元々人の指等によるロック操作があったものと判断されず、また、第１の静電容量及び第２の静電容量がともに基準容量以上である場合には、人の指等が上側ロック検出電極１２１と下側ロック検出電極１２２との間に存在し、ロック操作をする意図がなかったものと判断するものである。尚、下記のロック操作の制御は、制御部１４０において行われる。
【００３２】
最初に、ステップ２０２（Ｓ２０２）に示すように、静電容量測定部１４１において、上側ロック検出電極１２１に所定の電圧を印加し、上側ロック検出電極１２１における電圧を測定することにより、上側ロック検出電極１２１と手の指２００等との第１の静電容量の測定を行う。
【００３３】
次に、ステップ２０４（Ｓ２０４）に示すように、静電容量測定部１４１において、下側ロック検出電極１２２に所定の電圧を印加し、下側ロック検出電極１２２における電圧を測定することにより、下側ロック検出電極１２２と手の指２００等との第２の静電容量の測定を行う。
【００３４】
次に、ステップ２０６（Ｓ２０６）に示すように、第１の静電容量、即ち、上側ロック検出電極１２１と手の指２００等との静電容量が、所定の基準容量以上であるか否かが判断される。この判断は演算部１４２等により行われる。第１の静電容量が所定の基準容量以上である場合にはステップ２１０に移行し、第１の静電容量が所定の基準容量未満である場合にはステップ２０８に移行する。
【００３５】
次に、ステップ２０８（Ｓ２０８）に示すように、第２の静電容量、即ち、下側ロック検出電極１２２と手の指２００等との静電容量が、所定の基準容量以上であるか否かが判断される。この判断は演算部１４２等により行われる。第２の静電容量が所定の基準容量以上である場合にはステップ２１２に移行し、第２の静電容量が所定の基準容量未満である場合にはステップ２０２に移行し、再び静電容量の測定を行う。
【００３６】
同様に、ステップ２１０（Ｓ２１０）に示すように、第２の静電容量、即ち、下側ロック検出電極１２２と手の指２００等との静電容量が、所定の基準容量以上であるか否かが判断される。第２の静電容量が所定の基準容量以上である場合にはステップ２０２に移行し、再び静電容量の測定を行い、第２の静電容量が所定の基準容量未満である場合にはステップ２１２に移行する。
【００３７】
次に、ステップ２１２（Ｓ２１２）に示すように、ドアをロックするためのロック信号が出力部１４４より出力される。これにより、ドアがロックされる。
【００３８】
尚、上記以外の内容については、第１の実施の形態と同様である。
【００３９】
〔第３の実施の形態〕
次に、第３の実施の形態におけるドアハンドルのロック操作について、図１４に基づき説明する。本実施の形態は、上側ロック検出電極１２１及び下側ロック検出電極１２２の双方により静電容量を測定し、双方により測定された静電容量の和が所定の基準容量（第１の基準容量）以上である場合には、第２の実施の形態と同様に、上側ロック検出電極１２１、下側ロック検出電極１２２における静電容量の検出を個別に行うものである。
【００４０】
最初に、ステップ３０２（Ｓ３０２）に示すように、静電容量測定部１４１において、上側ロック検出電極１２１及び下側ロック検出電極１２２の双方に所定の電圧を印加し、上側ロック検出電極１２１及び下側ロック検出電極１２２における電圧を測定することにより、上側ロック検出電極１２１及び下側ロック検出電極１２２と手の指２００等との静電容量の測定を行う。
【００４１】
次に、ステップ３０４（Ｓ３０４）に示すように、ステップ３０２において測定された静電容量、即ち、上側ロック検出電極１２１及び下側ロック検出電極１２２と手の指２００等との静電容量が、第１の基準容量以上であるか否かが判断される。この判断は演算部１４２等により行われる。ステップ３０２において測定された静電容量が第１の基準容量以上である場合にはステップ３０６に移行し、ステップ３０２において測定された静電容量が第１の基準容量未満である場合にはステップ３０２に移行し、静電容量の測定を繰り返す。
【００４２】
次に、ステップ３０６（Ｓ３０６）に示すように、静電容量測定部１４１において、上側ロック検出電極１２１に所定の電圧を印加し、上側ロック検出電極１２１における電圧を測定することにより、上側ロック検出電極１２１と手の指２００等との第１の静電容量の測定を行う。
【００４３】
次に、ステップ３０８（Ｓ３０８）に示すように、静電容量測定部１４１において、下側ロック検出電極１２２に所定の電圧を印加し、下側ロック検出電極１２２における電圧を測定することにより、下側ロック検出電極１２２と手の指２００等との第２の静電容量の測定を行う。
【００４４】
次に、ステップ３１０（Ｓ３１０）に示すように、第１の静電容量、即ち、上側ロック検出電極１２１と手の指２００等との静電容量が、所定の基準容量（第２の基準容量）以上であるか否かが判断される。この判断は演算部１４２等により行われる。第１の静電容量が第２の基準容量以上である場合にはステップ３１４に移行し、第１の静電容量が第２の基準容量未満である場合にはステップ３１２に移行する。
【００４５】
次に、ステップ３１２（Ｓ３１２）に示すように、第２の静電容量、即ち、下側ロック検出電極１２２と手の指２００等との静電容量が、第２の基準容量以上であるか否かが判断される。この判断は演算部１４２等により行われる。第２の静電容量が第２の基準容量以上である場合にはステップ３１６に移行し、第２の静電容量が第２の基準容量未満である場合にはステップ３０２に移行し、再び静電容量の測定を行う。
【００４６】
同様に、ステップ３１４（Ｓ３１４）に示すように、第２の静電容量、即ち、下側ロック検出電極１２２と手の指２００等との静電容量が、第２の基準容量以上であるか否かが判断される。第２の静電容量が第２の基準容量以上である場合にはステップ３０２に移行し、再び静電容量の測定を行い、第２の静電容量が第２の基準容量未満である場合にはステップ３１６に移行する。
【００４７】
次に、ステップ３１６（Ｓ３１６）に示すように、ドアをロックするためのロック信号が出力部１４４より出力される。これにより、ドアがロックされる。
【００４８】
このように、最初に上側ロック検出電極１２１と下側ロック検出電極１２２の双方で測定された静電容量の和が所定の基準容量以上であるか否かをみて、基準容量以上である場合だけＳ３０６以降のロック検出電極それぞれの静電容量測定と判断を行うように構成することにより、ユーザの手がロック検出電極やドアハンドルの近傍にないような場合（双方の静電容量の和が所定の静電容量に満たない場合）の静電容量測定回数を減らすことができ、消費電力を削減することができる。
【００４９】
尚、上記以外の内容については、第２の実施の形態と同様である。
【００５０】
以上、実施の形態について詳述したが、特定の実施形態に限定されるものではなく、請求の範囲に記載された範囲内において、種々の変形及び変更が可能である。
【００５１】
尚、本国際出願は、２０１８年３月２３日に出願した日本国特許出願第２０１８−０５６２１２号に基づく優先権を主張するものであり、その出願の全内容は本国際出願に援用する。
【符号の説明】
【００５２】
１０        ドアハンドル
１１        第１のドアハンドルケース
１２        第２のドアハンドルケース
１２ａ      表面
１００      静電センサ
１１１      基板
１１３      配線
１２０      ロック検出電極
１２１      上側ロック検出電極
１２２      下側ロック検出電極
１２３      接続電極
１２４      配線電極
１３０      補助電極
１３１      配線電極
１４０      制御部
１４１      静電容量測定部
１４２      演算部
１４３      記憶部
１４４      出力部
１４５      スイッチ
１４６      アンプ
１４７      ＡＤＣ
２００      手の指
【図１】
2019181238.tif 000003
【図２】
2019181238.tif 000004
【図３】
2019181238.tif 000005
【図４】
2019181238.tif 000006
【図５】
2019181238.tif 000007
【図６】
2019181238.tif 000008
【図７】
2019181238.tif 000009
【図８】
2019181238.tif 000010
【図９】
2019181238.tif 000011
【図１０】
2019181238.tif 000012
【図１１】
2019181238.tif 000013
【図１２】
2019181238.tif 000014
【図１３】
2019181238.tif 000015
【図１４】
2019181238.tif 000016
【手続補正書】
【提出日】令和2年3月12日(2020.3.12)
【手続補正１】
【補正対象書類名】特許請求の範囲
【補正対象項目名】全文
【補正方法】変更
【補正の内容】
【特許請求の範囲】
【請求項１】
ドアハンドルケースと、
前記ドアハンドルケースの中に設置された第１の検出電極及び第２の検出電極と、
前記第１の検出電極及び前記第２の検出電極に接続された制御部と、
を有し、
前記第１の検出電極及び前記第２の検出電極は、操作体との静電容量を各々独立して測定するものであって、
前記制御部は、前記第１の検出電極において検出された第１の静電容量、または、前記第２の検出電極において検出された第２の静電容量に基づき、前記操作体による操作を判断し、
前記第１の検出電極及び前記第２の検出電極の双方により前記操作体との静電容量を測定し、
前記第１の検出電極及び前記第２の検出電極の双方により測定された静電容量の和が所定の基準容量を超える場合には、前記第１の検出電極及び前記第２の検出電極により、操作体との静電容量を各々独立して測定する制御を行う
ことを特徴とするドアハンドル。
【請求項２】
前記制御部は、
前記第１の検出電極において第１の静電容量を検出している際には、前記第２の検出電極において第２の静電容量の検出は行われず、
前記第２の検出電極において第２の静電容量を検出している際には、前記第１の検出電極において第１の静電容量の検出は行われないことを特徴とする請求項１に記載のドアハンドル。
【請求項３】
前記第１の静電容量、または、前記第２の静電容量が、所定の基準容量以上である場合には、前記操作体による操作がなされたものと判断することを特徴とする請求項１または２に記載のドアハンドル。
【請求項４】
前記第１の静電容量及び前記第２の静電容量が、ともに所定の基準容量以上である場合には、前記操作体による操作がなされなかったものと判断することを特徴とする請求項３に記載のドアハンドル。
【請求項５】
前記第１の静電容量及び前記第２の静電容量が、ともに所定の基準容量未満である場合には、前記操作体による操作がなされなかったものと判断することを特徴とする請求項３または４に記載のドアハンドル。
【請求項６】
前記ドアハンドルは車両のドアに取り付けられており、
前記第１の検出電極及び前記第２の検出電極は、ロック検出電極であって、
前記操作体による操作は、前記ドアをロックするための操作であることを特徴とする請求項１から５のいずれかに記載のドアハンドル。
【国際調査報告】
2019181238.tif 000017
2019181238.tif 000018